(57)【要約】【課題】低毒性であり、自己着火性に優れる自己着火二液式推進薬に含有される推進薬用組成物を提供する。【解決手段】３−メチルアミノプロピルアミンおよび１，２−ジアミノプロパンの少なくとも一方と、還元剤と、を含有する推進薬用組成物。【選択図】なし【特許請求の範囲】
【請求項１】
３−メチルアミノプロピルアミンおよび１，２−ジアミノプロパンの少なくとも一方と、還元剤と、を含有することを特徴とする推進薬用組成物。
【請求項２】
前記還元剤が、水素化ホウ素ナトリウム、水素化ホウ素カリウムおよび水素化ホウ素リチウムを含む群から選択される少なくとも１種である、請求項１に記載の推進薬用組成物。
【請求項３】
前記還元剤の濃度が７．５重量％以上である、請求項１または２記載の推進薬用組成物。
【請求項４】
請求項１〜３のいずれか一項に記載の推進薬用組成物と、過酸化水素水と、を含有する、自己着火二液式推進薬。
【請求項５】
前記過酸化水素水における過酸化水素の濃度が、６０重量％以上である、請求項４に記載の自己着火二液式推進薬。
【請求項６】
前記推進薬用組成物に対する前記過酸化水素水の混合割合が、質量比で２〜７である、請求項４または５記載の自己着火二液式推進薬。
【発明の詳細な説明】
【技術分野】
【０００１】
本発明は、推進薬用組成物および自己着火二液式推進薬に関する。
【背景技術】
【０００２】
従来、衛星推進系の推進薬としては、燃料であるヒドラジン、モノメチルヒドラジンまたはジメチルヒドラジンと、酸化剤である四酸化二窒素と、を含むものが広く用いられている。このヒドラジン系の推進薬は、ヒドラジンと四酸化二窒素を混ぜるだけで着火・燃焼する自己着火性を有する。そのため、ヒドラジン系の推進薬は、点火器の不要な信頼性の高いスラスタを実現することが可能である（例えば、非特許文献１参照）。
【０００３】
ヒドラジンまたはモノメチルヒドラジンと四酸化二窒素とは、毒性が高く、発癌性が疑われている物質である。そのため、これらの物質を取り扱う際には、空気供給型保護スーツを着用する必要がある。また、欧州では、ヒドラジン等の毒性が高い物質や発癌性のある物質の使用を規制する動きがあり、今後、世界的な動向となる可能性がある。
【０００４】
毒性を下げた推進薬としては、例えば、主燃料である、アルコール類、ケトン類およびアミン類からなる群から選択される少なくとも１種と、酸化剤である過酸化水素水と、燃焼助剤である金属成分を有する錯体と、を含むものが知られている（例えば、特許文献１参照）。
【先行技術文献】
【特許文献】
【０００５】
【特許文献１】特開２００４−７５４９７号公報
【非特許文献】
【０００６】
【非特許文献１】ロケット工学基礎講義、ｐ７２−７３、コロナ社、２００１年１２月
【発明の概要】
【発明が解決しようとする課題】
【０００７】
しかしながら、特許文献１に記載されている推進薬は、毒性の点において、ヒドラジン系の推進薬よりも優れている（低毒性を実現している）ものの、自己着火性の点においては充分な性能が得られていなかった。
【０００８】
このように、毒性物質使用規制の動きも高まりつつある中、低毒性と自己着火性とを両立する推進薬、および推進薬用組成物が求められていた。
【０００９】
本発明は、上記事情に鑑みてなされたものであって、低毒性であり、自己着火性に優れる自己着火二液式推進薬、およびこれに含有される推進薬用組成物を提供することを目的とする。
【課題を解決するための手段】
【００１０】
上記課題を解決するために、本発明は以下の手段を提案している。
本発明は、推進薬用組成物であって、３−メチルアミノプロピルアミンおよび１，２−ジアミノプロパンの少なくとも一方と、還元剤と、を含有することを特徴とする。
【００１１】
本発明は、上記記載の推進薬用組成物と、過酸化水素水と、を含有する自己着火二液式推進薬も提供する。
【発明の効果】
【００１２】
本発明によれば、低毒性の推進薬用組成物、低毒性で自己着火性に優れる自己着火二液式推進薬を提供することができる。
【発明を実施するための形態】
【００１３】
本発明の推進薬用組成物および自己着火二液式推進薬の実施の形態について説明する。
なお、以下の実施形態は、発明の趣旨をより良く理解させるために具体的に説明するものであり、特に指定のない限り、本発明を限定するものではない。
【００１４】
［推進薬用組成物］
本実施形態の推進薬用組成物は、３−メチルアミノプロピルアミンおよび１，２−ジアミノプロパンの少なくとも一方と、還元剤と、を含有する。
【００１５】
３−メチルアミノプロピルアミンおよび１，２−ジアミノプロパンは、後述する自己着火二液式推進薬の主燃料となる主燃料構成物質である。
主燃料構成物質は、１種を単独で用いてもよく、２種を組み合わせて用いてもよい。
【００１６】
３−メチルアミノプロピルアミンと１，２−ジアミノプロパンとの理論比推力（ロケットエンジンの推進剤効率を示す指標であり、推進剤の質量流量に対する推力の大きさ）を比較すると、水酸化ホウ素ナトリウムを１０重量％添加した場合に、３−メチルアミノプロピルアミンの方がわずかに優れていることから、３−メチルアミノプロピルアミンの方が推進薬用主燃料構成物質としてより好ましい場合がある。
【００１７】
３−メチルアミノプロピルアミンおよび１，２−ジアミノプロパンは、常温（２３℃）で液体である。
【００１８】
これらの物質以外にも、推進薬用主燃料構成物質としては、１，２−ジアミノシクロヘキサン、ビス（２−メトキシメチル）アミン、３−メトシキプロピルアミン、１，４−ブタンジオールビス（３−アミノプロピル）エーテル、エチレングリコールビス（３−アミノプロピル）エーテル、ジエチレングリコールビス（３−アミノプロピル）エーテル、Ｎ，Ｎ´−ジメチルエチレン尿素（ＤＭＩ）、Ｎ，Ｎ´−ジメチルプロピレン尿素等も用いることはできる。
しかしながら、本実施形態においては、自己着火性に優れる観点から、３−メチルアミノプロピルアミン、または１，２−ジアミノプロパンを用いることが好ましい。
【００１９】
本実施形態における低毒性とは、毒劇物法において「毒物」に非該当となる基準（急性経口毒性５０ｍｇ／ｋｇ以上、急性経皮毒性２００ｍｇ／ｋｇ以上、急性吸入毒性２ｍｇ／Ｌ（４ｈｒ）以上）を満たし、物質の変異原性を評価するためのバイオアッセイ試験法であるエームズ試験（Ａｍｅｓ  ｔｅｓｔ）において陰性であることをいう。
【００２０】
還元剤は、水素化ホウ素ナトリウム、水素化ホウ素カリウムおよび水素化ホウ素リチウムを含む群から選択される少なくとも１種であることが好ましい。空気に対して安定であり、取り扱いやすく、コストが低い点から、水素化ホウ素ナトリウムがより好ましい。
還元剤は、１種を単独で用いてもよく、２種以上を組み合わせて用いてもよい。
【００２１】
本実施形態における還元剤は、常温（２３℃）で固体（粉末）である。
【００２２】
本実施形態の推進薬用組成物における還元剤の濃度は、７．５重量％以上であることが好ましい。
７．５重量％以上であれば、１０ｍｓｅｃ程度もしくは１０ｍｓｅｃを下回る着火遅れで、推進薬用組成物を含む自己着火二液式推進薬が確実に自己着火する傾向にある。
また、還元剤の濃度は、１０重量％以上であることがより好ましい。１０重量％以上であれば、着火遅れ時間がより低減する傾向にあり、推進薬用組成物を含む自己着火二液式推進薬がより確実に自己着火する傾向にある。
なお、還元剤の濃度は、５重量％以下であると、着火遅れが２０ｍｓｅｃ以上になるか、もしくは自己着火二液式推進薬の着火が不安定となる傾向にあることから、好ましくない。
【００２３】
本実施形態の推進薬用組成物における還元剤の濃度は、過酸化水素水の濃度によって設定することも好ましい態様である。着火遅れの低減は、酸化剤である過酸化水素水の濃度にも依存する傾向にあるためである。
【００２４】
本実施形態の推進薬用組成物における還元剤の濃度の上限は、特に数値としては設けていないが、推進薬用主燃料構成物質に溶解する最大濃度が実質的上限となる。
【００２５】
本実施形態の推進薬用組成物の製造方法は、特に限定されず、例えば、液体の主燃料に、固体の還元剤を加えて、撹拌、混合する方法が挙げられる。
【００２６】
本実施形態の推進薬用組成物によれば、３−メチルアミノプロピルアミンおよび１，２−ジアミノプロパンの少なくとも一方と、還元剤と、を含有するため、低毒性であり、自己着火性に優れる自己着火二液式推進薬を提供することができる。
【００２７】
［自己着火二液式推進薬］
本実施形態の自己着火二液式推進薬は、本実施形態の上記推進薬用組成物と、過酸化水素水と、を含有する。
【００２８】
本実施形態の自己着火二液式推進薬において、過酸化水素水は酸化剤として機能する。
【００２９】
過酸化水素水における過酸化水素の濃度は、６０重量％以上であることが好ましく、８０重量％以上であることがより好ましい。過酸化水素水における過酸化水素の濃度の上限は、９５重量％以下であってもよく、９０重量％以下であってもよい。
過酸化水素の濃度が６０重量％以上であれば、自己着火二液式推進薬は自己着火性に優れる傾向にある。
【００３０】
本実施形態における自己着火性とは、点火器による点火なしに着火することをいう。また、自己着火性に優れるとは、着火遅れ試験による着火遅れが１０ｍｓｅｃ以下であることをいう。着火遅れとは、推進薬用組成物と過酸化水素水が接触してから、輝炎が発生するまでの時間のことである。
【００３１】
着火遅れ試験は、一例として、以下のようにして行われる。
試験管に３０μＬの推進薬用組成物を採取し、マイクロピペットにより、推進薬用組成物と同体積の８７．５重量％濃度の過酸化水素水を２０ｃｍ上方から推進薬用組成物に滴下して、２液を混合させ、反応の様子を高速度カメラにて観察する。これにより、２液の接触から火炎発生までの所要時間（着火遅れ）を計測する。
【００３２】
本実施形態の自己着火二液式推進薬において、過酸化水素水と推進薬用組成物の混合比は、推進薬用組成物に対する前記過酸化水素水の混合割合が、質量比で２〜７であることが好ましく、質量比で４〜６であることがより好ましい。
過酸化水素水と推進薬用組成物の混合比が、上記の範囲内であれば、自己着火二液式推進薬は、比推力（燃費）に優れる。
過酸化水素水と推進薬用組成物の混合方法は、一方（例えば、過酸化水素水）を他方（例えば、推進薬用組成物）へ添加してもよく、混合容器へ過酸化水素水と推進薬用組成物とを流し込んで混合してもよく、混合方法は特に限定されない。
【００３３】
本実施形態の自己着火二液式推進薬は、低毒性であり自己着火性に優れることから、人工衛星等のスラスタ用燃料として用いることが好ましく、点火器の不要な信頼性の高いスラスタを実現することが可能である。
【００３４】
本実施形態の自己着火二液式推進薬は、人工衛星等のスラスタ用燃料に限られず、低毒性であり自己着火性に優れることが求められる技術分野に好適に用いられることができる。
【実施例】
【００３５】
以下、実施例により本発明をさらに具体的に説明するが、本発明は以下の実施例に限定されるものではない。
【００３６】
［実施例１］
３−メチルアミノプロピルアミン９０重量％に、水素化ホウ素ナトリウム粉末１０重量％を溶解させて推進薬用組成物を調製した。
この推進薬用組成物３０μＬに対して、濃度８７．５重量％の過酸化水素水３０μＬを滴下したところ、推進薬用組成物と過酸化水素水が接触した直後に、着火、燃焼した。
高速度カメラによる観察の結果、着火遅れは８．６ｍｓｅｃであった。
また、３−メチルアミノプロピルアミンの毒性について、表１に示す。
【００３７】
［実施例２］
１，２−ジアミノプロパン９０重量％に、水素化ホウ素ナトリウム粉末１０重量％を溶解させて推進薬用組成物を調製した。
この推進薬用組成物３０μＬに対して、濃度８７．５重量％の過酸化水素水３０μＬを滴下したところ、推進薬用組成物と過酸化水素水が接触した直後に、着火、燃焼した。
高速度カメラによる観察の結果、着火遅れは８．３ｍｓｅｃであった。
また、１，２−ジアミノプロパンの毒性について、表１に示す。
【００３８】
［参考例］
また、ヒドラジンの毒性について、表１に示す。
【００３９】
なお、２−ジアミノシクロヘキサン、ビス（２−メトキシメチル）アミン、３−メトシキプロピルアミン、１，４−ブタンジオールビス（３−アミノプロピル）エーテル、エチレングリコールビス（３−アミノプロピル）エーテル、ジエチレングリコールビス（３−アミノプロピル）エーテル、Ｎ，Ｎ´−ジメチルエチレン尿素（ＤＭＩ）、Ｎ，Ｎ´−ジメチルプロピレン尿素、についても、実施例１、２と同様に着火試験を行い、自己着火性は実施例１、２よりも劣るが推進薬として使用し得ることを確認した。
【００４０】
【表１】
2020066542.tif 000002
【００４１】
以上の結果から、実施例１および２は、低毒性であり、自己着火性に優れる自己着火二液式推進薬が得られることが分かった。